【手続補正書】
【提出日】平成24年9月20日(2012.9.20)
【手続補正１】
【補正対象書類名】明細書
【補正対象項目名】０２３２
【補正方法】変更
【補正の内容】
【０２３２】
もし加入者が猶予期間が終わった後でさえＳＲＭサービスに対する月毎の料金を支払わない場合、加入者は、ＳＲＭが非アクティブにされている状態に進む。彼らが、サービスを再びアクティブにすることを十分なクレジットを有するときに望む場合、彼らは、ＳＭＳをショートコードに送信することによってこれを行なうことができる。ＳＲＭは、この加入者を彼らのＭＳＩＳＤＮから認識する。通知期間中に加入者がＳＲＭサービスを再びアクティブにすることは可能でないものとする。
【手続補正２】
【補正対象書類名】特許請求の範囲
【補正対象項目名】全文
【補正方法】変更
【補正の内容】
【特許請求の範囲】
【請求項１】
電気通信ネットワークにおいて第１のユーザと第２のユーザとの間の電気通信リンクを提供する方法であって、
前記第２のユーザへの電気通信リンクを提供するようにとの前記第１のユーザからのリクエストを受信するステップと、
前記電気通信ネットワークとは独立の通信ネットワークを通じてユーザが相互作用するネットワーク化されたユーザコミュニティのホストをするサーバから、前記第１のユーザと前記第２のユーザとが指定された関係を前記ユーザコミュニティにおいて有するか否かを決定するステップと、
前記第１のユーザと前記第２のユーザとが指定された関係を前記ユーザコミュニティにおいて有するか否かに基づいて前記電気通信リンクに対する少なくとも１つの設定を指定するステップとを備える、方法。
【請求項２】
前記第１のユーザからの前記リクエストは、前記電気通信ネットワークにおける前記第２のユーザの携帯加入者ＩＳＤＮ番号（ＭＳＩＳＤＮ）識別子、前記電気通信ネットワークにおける前記第２のユーザへの接続のためのコールセットアップ接続リクエスト、前記電気通信ネットワークにおける前記第２のユーザへのメッセージの送信のためのメッセージ送信リクエストのうちのいずれかを含む、請求項１に記載の方法。
【請求項３】
前記電気通信リンクに対する少なくとも１つの設定を指定するステップは、前記電気通信リンクに対する課金ポリシーを指定するステップを含む、請求項１に記載の方法。
【請求項４】
前記ネットワーク化されたユーザコミュニティにおける２人のユーザ間の少なくとも１つの指定された関係を識別する情報を前記サーバから受信し、前記情報をキャッシュに格納するステップをさらに備える、請求項１に記載の方法。
【請求項５】
前記サーバから前記第１のユーザと前記第２のユーザとが指定された関係を有するか否かを決定するステップは、前記第１のユーザの識別子と前記第２のユーザの識別子とを含むリクエストを前記サーバに送信するステップを含む、請求項１に記載の方法。
【請求項６】
前記電気通信リンクは、メッセージ伝送路、音声リンク、データリンクのうちのいずれかを含む、請求項１に記載の方法。
【請求項７】
前記電気通信ネットワークとは独立の前記通信ネットワークは、インターネットワークを含む、請求項１に記載の方法。
【請求項８】
指定された関係を第３のユーザと前記ユーザコミュニティにおいて形成するようにとの前記第１のユーザからのリクエストを前記電気通信ネットワークを通じて受信するステップをさらに備え、前記リクエストは、前記第３のユーザの識別子を含み、
指定された関係の前記ユーザコミュニティにおける確立を要請する関係リクエストメッセージを前記サーバに送信するステップをさらに備え、前記関係リクエストメッセージは、前記第１のユーザの識別子と、前記第３のユーザの識別子とを含む、請求項１に記載の方法。
【請求項９】
前記電気通信ネットワークとの通信を管理するためのアプリケーションを前記サーバに提供するステップをさらに備える、請求項１に記載の方法。
【請求項１０】
前記ユーザコミュニティ中のユーザが前記コミュニティ中の他のユーザとの指定された関係を管理することを可能にするインターフェイスを提供するためのアプリケーションを前記サーバに提供するステップをさらに備える、請求項１に記載の方法。
【請求項１１】
前記電気通信リンクに対する少なくとも１つの設定を指定するステップは、
前記電気通信リンクに対する課金ポリシーを選択するステップと、
前記課金ポリシーを前記電気通信ネットワークにおけるネットワーク事業者に送信するステップとを含む、請求項１に記載の方法。
【請求項１２】
前記第１のユーザと前記第２のユーザとが指定された関係を前記ユーザコミュニティにおいて有するか否かに基づいて前記電気通信リンクのために必要な最小限の支払額を決定するステップをさらに備える、請求項１に記載の方法。
【請求項１３】
データ記録を生成するステップをさらに備え、前記データ記録は、
前記電気通信ネットワークにおける前記第１のユーザおよび／または前記第２のユーザの識別子と、
前記電気通信ネットワークにおける前記第１のユーザおよび／または前記第２のユーザのネットワークプロバイダの識別子と、
前記第１のユーザと前記第２のユーザとの間で要請される電気通信リンクの種類の識別子と、
前記第１および第２のユーザが前記電気通信リンクを通じて接続される時間の長さの識別子と、
前記電気通信ネットワークのための前記電気通信リンクに起因すると考えられる値の識別子と、のうち少なくとも１つを含む、請求項１に記載の方法。
【請求項１４】
第２のユーザへの接続を確立するようにとの第１のユーザからのリクエストを第１のネットワークにおいて受信するステップをさらに備え、前記リクエストは、前記第１のネットワークにおける前記第２のユーザの識別子を含み、
第２のネットワークにおける前記第２のユーザの識別子を検索するステップと、
前記第１および前記第２のユーザ間の接続を確立するステップとをさらに備え、前記接続は、少なくとも部分的に前記第２のネットワークを通じて確立される、請求項１に記載の方法。
【請求項１５】
電気通信ネットワークにおいて第１のユーザと第２のユーザとの間の電気通信リンクを提供するための装置であって、
前記第２のユーザへの電気通信リンクを提供するようにとの前記第１のユーザからのリクエストを受信するための手段と、
前記電気通信ネットワークとは独立の通信ネットワークを通じてユーザが相互作用するネットワーク化されたユーザコミュニティのホストをするサーバから、前記第１のユーザと前記第２のユーザとが指定された関係を前記ユーザコミュニティにおいて有するか否かを決定するための手段と、
前記第１のユーザと前記第２のユーザとが指定された関係を前記ユーザコミュニティにおいて有するか否かに基づいて前記電気通信リンクに対する少なくとも１つの設定を指定するための手段とを備える、装置。
【請求項１６】
電気通信ネットワークにおいて第１のユーザと第２のユーザとの間の電気通信リンクを提供するための装置であって、
前記第２のユーザへの電気通信リンクを提供するようにとの前記第１のユーザからのリクエストを受信するための入力インターフェイスと、
前記電気通信ネットワークとは独立の通信ネットワークを通じてユーザが相互作用するネットワーク化されたユーザコミュニティのホストをするサーバから、前記第１のユーザと前記第２のユーザとが指定された関係を前記ユーザコミュニティにおいて有するか否かを決定するよう動作可能なプロセッサと、
前記第１のユーザと前記第２のユーザとが指定された関係を前記ユーザコミュニティにおいて有するか否かに基づいて前記電気通信リンクに対する少なくとも１つの設定を指定するよう動作可能なプロセッサとを備える、装置。
【請求項１７】
通信ネットワークを通じてユーザが相互作用するネットワーク化されたユーザコミュニティにおけるユーザ間の接続を管理する方法であって、前記相互作用は、特定のユーザ間の指定された関係を前記ユーザコミュニティにおいて形成することを含み、前記方法は、
前記ユーザコミュニティにおいて第１のユーザと第２のユーザとの間に形成された新しい指定された関係の通知を受信するステップと、
前記通信ネットワークとは別個の電気通信ネットワークにおける前記第１および第２のユーザの各々の識別子を決定するステップと、
前記電気通信ネットワークにおける前記第１および第２のユーザのうち少なくとも一方のサービスプロバイダを識別するステップと、
前記第１および第２のユーザを識別し、かつ指定された関係の前記第１および第２のユーザ間での形成を示す情報を少なくとも１つの識別されたサービスプロバイダに送信するステップとを備える、方法。
【請求項１８】
通信ネットワークを通じてユーザが相互作用するネットワーク化されたユーザコミュニティにおけるユーザ間の接続を管理する方法であって、前記相互作用は、特定のユーザ間の指定された関係を前記ユーザコミュニティにおいて形成することを含み、前記方法は、
ユーザ間の直接の電気通信リンクを提供するために前記通信ネットワークとは別個の電気通信ネットワークへのインターフェイスを提供するステップと、
第１および第２のユーザ間の要請される通信リンクを識別する問合せを前記電気通信ネットワークから受信するステップと、
前記問合せから前記第１および第２のユーザの識別子を抽出するステップと、
指定された関係が前記第１および第２のユーザ間に前記ユーザコミュニティにおいて存在するか否かを決定するために前記第１および第２のユーザの前記識別子を分析するステップと、
指定された関係が前記第１および第２のユーザ間に前記ユーザコミュニティにおいて存在するか否かを示す返信メッセージを前記電気通信ネットワークに送信するステップとを備える、方法。
【請求項１９】
電気通信ネットワークのユーザ間の通信相互作用をソーシャルネットワーキングサービスコミュニティにおいてユーザ間で定義された関係に従って処理する方法であって、
前記電気通信ネットワークの第１および第２のユーザ間の前記電気通信ネットワークを介した電気通信相互作用を処理するステップと、
前記第１および第２のユーザ間の前記ソーシャルネットワーキングサービスコミュニティにおける関係に関するソーシャルネットワーキング関係データを受信するステップと、
前記電気通信相互作用に関する処理を前記ソーシャルネットワーキング関係データに依存して行なうステップとを備える、方法。
【請求項２０】
通信ネットワークを通じてユーザが相互作用するネットワーク化されたユーザコミュニティにおけるユーザ間の接続を管理するためのシステムであって、前記相互作用は、特定のユーザ間の指定された関係を前記ユーザコミュニティにおいて形成することを含み、前記システムは、
前記ユーザコミュニティにおいて第１のユーザと第２のユーザとの間に形成された新しい指定された関係の通知を受信するための手段と、
前記通信ネットワークとは別個の電気通信ネットワークにおける前記第１および第２のユーザの各々と識別子を決定するための手段と、
前記電気通信ネットワークにおける前記第１および第２のユーザのうち少なくとも一方のサービスプロバイダを識別するための手段と、
前記第１および第２のユーザを識別し、かつ指定された関係の前記第１および第２のユーザ間での形成を示す情報を少なくとも１つの識別されたサービスプロバイダに送信するための手段とを備える、システム。
【請求項２１】
通信ネットワークを通じてユーザが相互作用するネットワーク化されたユーザコミュニティにおけるユーザ間の接続を管理するためのシステムであって、前記相互作用は、特定のユーザ間の指定された関係を前記ユーザコミュニティにおいて形成することを含み、前記システムは、
ユーザ間の直接の電気通信リンクを提供するために前記通信ネットワークとは別個の電気通信ネットワークへのインターフェイスを提供するための手段と、
第１および第２のユーザ間の要請される通信リンクを識別する問合せを前記電気通信ネットワークから受信するための手段と、
前記問合せから前記第１および第２のユーザの識別子を抽出するための手段と、
指定された関係が前記第１および第２のユーザ間に前記ユーザコミュニティにおいて存在するか否かを決定するために前記第１および第２のユーザの前記識別子を分析するための手段と、
指定された関係が前記第１および第２のユーザ間に前記ユーザコミュニティにおいて存在するか否かを示す返信メッセージを前記電気通信ネットワークに送信するための手段とを備える、システム。
【請求項２２】
電気通信ネットワークのユーザ間の通信相互作用をソーシャルネットワーキングサービスコミュニティにおいてユーザ間で定義された関係に従って処理するためのシステムであって、
前記電気通信ネットワークの第１および第２のユーザ間の前記電気通信ネットワークを介した電気通信相互作用を処理するための手段と、
前記第１および第２のユーザ間の前記ソーシャルネットワーキングサービスコミュニティにおける関係に関するソーシャルネットワーキング関係データを受信するための手段と、
前記電気通信相互作用に関する処理を前記ソーシャルネットワーキング関係データに依存して行うための手段とを備える、システム。
【請求項２３】
請求項１から１４のいずれかまたは請求項１７から１９のいずれかに記載の方法を実現化するための命令を含む、コンピュータプログラム。
【請求項２４】
少なくとも１つのメモリと、少なくとも１つのインターフェイスと、請求項１から１４のいずれかまたは請求項１７から１９のいずれかに記載の方法を実現化するよう動作可能なプロセッサとを備える、ネットワーク装置。